(57)【要約】【目的】ピア・トゥ・ピアの監視システムを構成する。【構成】ディジタル・カメラ１によって監視対象が周期的に撮像される。携帯電話５から監視用コンピュータ装置２にアクセスされる。すると，ディジタル・カメラ１において撮像された最新の画像を表すスチル画像データがコンピュータ装置２に記憶される。携帯電話５の表示装置６に表示できるように，スチル画像データがデータ変換される。データ変換されたスチル画像データが監視用コンピュータ装置２から携帯電話５に送信される。【選択図】　図１
2004104452.tif 000002
【特許請求の範囲】
【請求項１】
周期的に監視対象を撮像し，監視対象の画像を表す画像データを出力するように撮像装置を制御する撮像制御手段，
表示装置付き携帯電話から送信される携帯電話の機種情報および画像閲覧リクエストを受信する受信手段，
上記受信手段により画像閲覧リクエストが受信されたときに上記撮像装置から出力された監視画像データによって表される画像を，上記携帯電話の表示装置に表示できるように，上記受信手段により受信した機種情報にもとづいて上記監視画像データをデータ変換する変換手段，ならびに
上記変換手段によりデータ変換された監視画像データを上記携帯電話に送信する送信手段，
を備えた監視用コンピュータ装置。
【請求項２】
上記データ変換手段は，
上記受信手段により画像閲覧リクエストが受信されたことに応答して上記撮像装置から出力された監視画像データを記憶する画像メモリを備え，
上記受信手段により受信した機種情報にもとづいて上記携帯電話の表示装置に表示できるように上記監視画像データをデータ変換するものである，
請求項１に記載の監視用コンピュータ装置。
【請求項３】
撮像装置を用いて周期的に監視対象を撮像し，監視対象の画像を表す画像データを得，
表示装置付き携帯電話から送信される携帯電話の機種情報および画像閲覧リクエストを受信し，
上記画像閲覧リクエストが受信されたときに上記撮像装置から出力された監視画像データによって表される画像を，上記携帯電話の表示装置に表示できるように，受信した機種情報にもとづいて上記監視画像データをデータ変換し，
上記データ変換された画像データを上記携帯電話に送信する，
監視用コンピュータ装置の制御方法。
【請求項４】
周期的に監視対象を撮像し，監視対象の画像を表す画像データを出力するように撮像装置を制御させ，
表示装置付き携帯電話から送信される携帯電話の機種情報および画像閲覧リクエストを受信させ，
上記画像閲覧リクエストが受信されたときに上記撮像装置から出力された監視画像データによって表される画像を上記携帯電話の表示装置に表示できるように，受信した機種情報にもとづいて上記監視画像データをデータ変換させ，
上記データ変換された監視画像データを上記携帯電話に送信させるように監視用コンピュータ装置を制御するプログラム。
【請求項５】
請求項４に記載の上記プログラムを格納した記録媒体。
【発明の詳細な説明】
【０００１】
【技術分野】
この発明は，監視用コンピュータ装置，その制御方法および監視用コンピュータ装置を制御するプログラムに関する。
【０００２】
【発明の背景】
監視用のディジタル・カメラやウェブ・カメラとコンピュータ装置とを接続し，ディジタル・カメラによって撮像された画像を携帯電話の表示画面上に表示させる監視システムがある。このような監視システムにおいては，ディジタル・カメラによって撮像された画像を表す画像データは，コンピュータ装置に入力する。ディジタル・カメラによって撮像された画像を閲覧したいユーザは，携帯電話からデータ・センタ・サーバを介してコンピュータ装置にアクセスする。携帯電話からの閲覧要求に応じて，ディジタル・カメラ（ウェブ・カメラ）によって撮像された画像データがデータ・センタ・サーバを介して携帯電話に送信される。携帯電話の表示画面上にディジタル・カメラによって撮像された画像が表示される。
【０００３】
このように，従来の監視システムにおいては画像の閲覧要求はデータ・センタ・サーバを介してコンピュータ装置に与えられ，また，画像データの送信もデータ・センタ・サーバを介してコンピュータ装置から携帯電話に与えられている。データ・センタ・サーバへのアクセスが集中してしまう。
【０００４】
【発明の開示】
この発明は，データ・センタ・サーバを介することなく表示装置付きの携帯電話において監視対象の画像を閲覧することを目的とする。
【０００５】
この発明による監視用コンピュータ装置は，周期的に監視対象を撮像し，監視対象の画像を表す画像データを出力するように撮像装置を制御する撮像制御手段，表示装置付き携帯電話から送信される携帯電話の機種情報および画像閲覧リクエストを受信する受信手段，上記受信手段により画像閲覧リクエストが受信されたときに上記撮像装置から出力された監視画像データによって表される画像を，上記携帯電話の表示装置に表示できるように，上記受信手段により受信した機種情報にもとづいて上記監視画像データをデータ変換する変換手段，ならびに上記変換手段によりデータ変換された監視画像データを上記携帯電話に送信する送信手段を備えていることを特徴とする。
【０００６】
この発明は，上記監視用コンピュータ装置に適した制御方法も提供している。すなわち，この方法は，撮像装置を用いて周期的に監視対象を撮像し，監視対象の画像を表す画像データを得，表示装置付き携帯電話から送信される携帯電話の機種情報および画像閲覧リクエストを受信し，上記画像閲覧リクエストが受信されたときに上記撮像装置から出力された監視画像データによって表される画像を，上記携帯電話の表示装置に表示できるように，受信した機種情報にもとづいて上記監視画像データをデータ変換し，上記データ変換された画像データを上記携帯電話に送信するものである。
【０００７】
また，この発明は，監視用コンピュータ装置を制御するプログラムおよびそのプログラムを格納した記録媒体も提供している。
【０００８】
この発明によると，撮像装置によって周期的に監視対象が撮像され，監視対象を表す画像データが出力される。
【０００９】
表示装置付き携帯電話のユーザが監視対象を閲覧したいときには，携帯電話の機種情報および画像閲覧リクエストが携帯電話からコンピュータ装置に送信される。
【００１０】
監視用コンピュータ装置において画像閲覧リクエストが受信されると，そのリクエストを受信した時に上記撮像装置から出力された画像データによって表される画像が携帯電話の表示装置の表示画面に表示できるようにデータ変換（データ・フォーマット変換，サイズ変換，アスペクト比の変換，減色，階調補正など）が行われる。データ変換された画像データがコンピュータ装置から携帯電話に送信される。携帯電話の表示装置の表示装置の表示画面に撮像装置によって撮像された監視画像が表示される。
【００１１】
コンピュータ装置において，撮像により得られた画像データを携帯電話の機種に応じてデータ変換しているので，データ・センタ・サーバにおいてデータ変換せずに携帯電話の表示装置の表示画面上に監視画像を表示することができる。データ・センタ・サーバを介さずに，撮像装置により撮像された監視画像を携帯電話の表示装置の表示画面上に表示させることができる。
【００１２】
上記データ変換手段は，たとえば，上記受信手段により画像閲覧リクエストが受信されたことに応答して上記撮像装置から出力された監視画像データを記憶する画像メモリを備える。この場合，上記受信手段により受信した機種情報にもとづいて上記携帯電話の表示装置に表示できるように上記監視画像データをデータ変換するものとなろう。
【００１３】
【実施例の説明】
図１は，この発明の実施例を示すもので，監視システムを示している。
【００１４】
ユーザ１宅には，ディジタル・カメラ１と，ディジタル・カメラ１と接続されている監視用コンピュータ２とが配置されている。監視用コンピュータ２には，後述する動作を行うためのプログラムが格納されているＣＤ−ＲＯＭ（コンパクトディスク・リード−オンリ・メモリ）３がインストールされる。監視用コンピュータ装置２によってディジタル・カメラ１による撮像が制御される。ディジタル・カメラ１によりユーザ１宅の内部の様子（監視対象）が周期的に撮像されている。
【００１５】
監視用コンピュータ２は，インターネットと接続されている。監視用コンピュータ２には，インターネットと接続するための通信回路，表示装置，キーボードなどの入力装置，ディジタル・カメラ１から出力された画像データを記憶する画像メモリなどが含まれているのはいうまでもない。
【００１６】
ユーザ１宅と同様にユーザ２宅，ユーザ３宅などの多数のユーザ宅がインターネットに接続されている。ユーザ２宅，ユーザ３宅などもユーザ１宅と同様に，ディジタル・カメラと監視用コンピュータ装置とが配置されており，ディジタル・カメラによって周期的に監視対象が撮像されている。
【００１７】
多数の携帯電話５，６，７等は，ゲートウェア４を介してインターネットと接続される。携帯電話５はユーザ１用のもので，携帯電話７はユーザ２用のもので，携帯電話８はユーザ３用のものである。携帯電話５には，表示装置６が含まれている。この表示装置６の表示画面に画像等を表示することができる。携帯電話７および８にも表示装置が含まれている。携帯電話５を用いて，ユーザ１宅にある監視用コンピュータ装置２にアクセスすることができる。同様に，携帯電話７を用いて，ユーザ２宅にある監視用コンピュータ装置にアクセスでき，携帯電話８を用いてユーザ３宅にある監視用コンピュータ装置にアクセスできる。
【００１８】
この実施例による監視システムは，携帯電話を用いて各ユーザ宅にある監視用コンピュータ装置にサーバを介さずにアクセスして，監視画像の閲覧要求を行うものである。この閲覧要求に応じて，ディジタル・カメラにより撮像された監視画像を表すデータは，監視用コンピュータ装置からサーバを介さずに携帯電話に送信される。ピア・トゥ・ピアの監視システムが実現される。より詳しくは以下の説明によって明らかとなろう。
【００１９】
この実施例においては，ユーザ１が携帯電話５を用いて，ユーザ１宅にあるディジタル・カメラ１によって撮像された画像を閲覧するものとする。
【００２０】
図２は，監視プレ処理を示すフローチャートである。
【００２１】
まず，監視用コンピュータ装置２において，携帯電話５によって監視用コンピュータ装置２にアクセスするためのＵＲＬ（ｕｎｉｆｏｒｍ　ｒｅｓｏｕｒｃｅ　ｌｏｃａｔｏｒ）が入力される（ステップ１１）。入力されたＵＲＬは監視用コンピュータ装置２において，関連するＵＲＬが容易に類推されないように暗号化される（ステップ１２）。暗号化されたＵＲＬを表すデータが監視用コンピュータ装置２からインターネットおよびゲートウェイ４を介して携帯電話５に電子メールとして送信される（ステップ１３）。
【００２２】
監視用コンピュータ装置２から送信された電子メールが携帯電話５において受信される（ステップ２１）。そして，監視用コンピュータ装置２にアクセスするためのＵＲＬがクリック可能に携帯電話５の表示装置６の表示画面に表示される。
【００２３】
図３は，監視処理を示すフローチャートである。図４および図５は，携帯電話５の表示装置６の表示画面の一例である。
【００２４】
監視用コンピュータ装置２の制御の下にディジタル・カメラ１によって監視対象が撮像されている（ステップ３１）。ディジタル・カメラ１から，監視対象の画像を表す画像データがｆｔｐ（ｆｉｌｅ　ｔｒａｎｓｆｅｒ　ｐｒｏｔｏｃｏｌ）などにもとづいて監視用コンピュータ装置２に出力される。携帯電話５から，ユーザ名，パスワード，閲覧リクエスト等が受信されるまでディジタル・カメラ１による監視対象の撮像が続けられる（ステップ３２でＮＯ），
【００２５】
携帯電話５の表示装置６の表示画面には図４に示すように，監視用コンピュータ装置２から送信されたＵＲＬを含むＵＲＬ画像が表示される（ステップ４１）。
【００２６】
図４を参照して，表示装置６の表示画面５１に表示されるＵＲＬ画像には，ＵＲＬ表示領域５２が含まれている。このＵＲＬ表示領域５２には，クリック可能なように暗号化されたＵＲＬが表示されている。
【００２７】
ＵＲＬ表示領域５２の下には戻るボタン５３およびキャンセル・ボタン５４が表示されている。これらのボタン５３および５４もクリック可能に表示されている。
【００２８】
図３に戻って，表示画面５１に表示されているＵＲＬが携帯電話５のユーザによってクリックされると（ステップ４２でＹＥＳ），携帯電話５の表示装置６の表示画面５１には図５に示すログイン画像が表示される（ステップ４３）。
【００２９】
図５を参照して，ログイン画像には，ユーザ名入力領域５５およびパスワード入力領域５６が含まれている。これらの領域５５および５６の下には上述した戻るボタン５３およびキャンセル・ボタン５４の他にＯＫボタン５７が形成されている。
【００３０】
携帯電話５のテンキーパッドを用いてユーザ名およびパスワードが入力される（ステップ４４）。ユーザ名およびパスワードはあらかじめユーザに与えられているのはいうまでもない。入力されたユーザ名およびパスワードで良ければ携帯電話５のユーザによってＯＫボタン５７がクリックされる（ステップ４５でＹＥＳ）。すると，ＵＲＬ，入力されたユーザ名およびパスワード，携帯電話５の機種情報ならびに閲覧リクエストが携帯電話５から監視用コンピュータ装置２に送信される（ステップ４６）。
【００３１】
携帯電話５から送信されたＵＲＬ等が監視用コンピュータ装置２において受信されると（ステップ３２でＹＥＳ），そのＵＲＬによって特定される監視用コンピュータ装置２のメモリの記憶領域にアクセスされる。このメモリの記憶領域は，ディジタル・カメラ１から出力され画像データを一時的に順次記憶していく領域である。
【００３２】
携帯電話５から送信されたユーザ名およびパスワードの認証処理が監視用コンピュータ装置２において行われる（ステップ３３）。認証されると（ステップ３４でＹＥＳ），ディジタル・カメラ１から入力した画像データのうち最新の画像データ（監視スチル画像データ）が監視用コンピュータ装置２の画像メモリに一時的に記憶される（ステップ３５）。
【００３３】
また，携帯電話５から送信された機種情報にもとづいて携帯電話５の機種が判別される（ステップ３６）。携帯電話５の機種が判別されると，携帯電話５の表示装置６の表示画面５１に，監視スチル画像データによって表されるスチル画像が表示できるように，データ変換が行われる（ステップ３７）。具体的には，表示装置６の表示画面５１の大きさに合わせたサイズ調整，表示画面５１に表示できるようにフォーマット変換，階調補正，色数調整などが行われる。監視用コンピュータ装置２には，携帯電話の機種ごとに変換すべき内容を示すテーブルが格納されているのはいうまでもない。
【００３４】
データ変換された監視スチル画像データがｈｔｔｐ（ｈｙｐｅｒｔｅｘｔ　ｔｒａｎｓｆｅｒ　ｐｒｏｔｏｃｏｌ）にもとづいて監視用コンピュータ装置２から携帯電話５に送信される（ステップ３８）。
【００３５】
監視用コンピュータ装置２から送信された監視スチル画像データが携帯電話５において受信されると，携帯電話５の表示装置６の表示画面５１に監視スチル画像が表示される（ステップ４７）。
【００３６】
ピア・トゥ・ピアの監視システムを構成しているので，監視用コンピュータ装置と携帯電話との間にサーバを設ける必要がない。
【図面の簡単な説明】
【図１】監視システムの概要を示している。
【図２】監視プレ処理を示すフローチャートである。
【図３】監視処理を示すフローチャートである。
【図４】携帯電話の表示画面の一例である。
【図５】携帯電話の表示画面の一例である。
【符号の説明】
１　ディジタル・カメラ
２　監視用コンピュータ装置
５，７，８　携帯電話
６　表示装置
５１　表示画面
５２　ＵＲＬ表示領域
【図１】
2004104452.tif 000003
【図２】
2004104452.tif 000004
【図３】
2004104452.tif 000005
【図４】
2004104452.tif 000006
【図５】
2004104452.tif 000007